(57)【要約】【課題】リモコン装置の接続の有無によって、リモコン用電源を自動的にオンオフできる給湯器を提供する。【解決手段】給湯器では、電源プラグがコンセントに差し込まれると、マイコンのＣＰＵによって、リモコン電源回路がオンされ（Ｓ１１）、リモコン装置に呼出信号が送信される（Ｓ１２）。リモコン装置から返信信号があった場合（Ｓ１３：ＹＥＳ）、リモコン装置で動作するリモコン動作モードが設定される（Ｓ１４）。一方、返信信号が無かった場合（Ｓ１３：ＮＯ）、リモコン電源回路がオフされ（Ｓ１７）、リモコン装置で動作しない基本動作モードが設定される（Ｓ１８）。これにより、リモコン電源回路の無駄な電力消費を無くすことができる。【選択図】図３
2011149632.tif 000002
【特許請求の範囲】
【請求項１】
リモコン装置が電気的に接続可能であり、当該リモコン装置との間で通信することによって、前記リモコン装置による遠隔操作が可能である給湯器であって、
前記リモコン装置に電源を供給するリモコン用電源と、
前記給湯器の主電源がオンされた場合に、前記リモコン用電源をオンするリモコン用電源オン手段と、
前記リモコン装置との間で通信が可能か否かを判断する通信判断手段と、
当該通信判断手段によって、前記リモコン装置との間で通信不能と判断された場合に、前記リモコン用電源をオフするリモコン用電源オフ手段と
を備えたことを特徴とする給湯器。
【請求項２】
前記通信判断手段は、所定時間毎に前記通信の可否を判断することを特徴とする請求項１に記載の給湯器。
【発明の詳細な説明】
【技術分野】
【０００１】
本発明は、リモコン装置で操作可能な給湯器に関する。
【背景技術】
【０００２】
従来より、リモコン装置で操作可能な給湯器が知られている（例えば、特許文献１参照）。給湯器にリモコン装置を接続するかしないかは給湯器を施工する現場によって決まる。よって、リモコン装置と通信するためのリモコン通信回路を有する給湯器と、有しない給湯器とを分けて製造すればよいのであるが、製造工程が複雑になる上、管理が面倒である。このような理由から、給湯器にはリモコン装置の接続の有無に関係なく、リモコン装置と通信するためのリモコン通信回路が設けられている。
【先行技術文献】
【特許文献】
【０００３】
【特許文献１】特開２００３−１３０４５６号公報
【発明の概要】
【発明が解決しようとする課題】
【０００４】
しかしながら、上記した給湯器では、リモコン装置の接続の有無に関係なく、リモコン用電源は常時オンとなっているため、無駄に電力を消費してしまうという問題点があった。ディップスイッチ等により電源のオンオフを設定することも考えられるが、その場合、コストや煩雑さが増してしまうという問題点があった。
【０００５】
本発明は、上記課題を解決するためになされたものであり、リモコン装置の接続の有無によって、リモコン用電源を自動的にオンオフできる給湯器を提供することを目的とする。
【課題を解決するための手段】
【０００６】
本発明の請求項１に係る給湯器は、リモコン装置が電気的に接続可能であり、当該リモコン装置との間で通信することによって、前記リモコン装置による遠隔操作が可能である給湯器であって、前記リモコン装置に電源を供給するリモコン用電源と、前記給湯器の主電源がオンされた場合に、前記リモコン用電源をオンするリモコン用電源オン手段と、前記リモコン装置との間で通信が可能か否かを判断する通信判断手段と、当該通信判断手段によって、前記リモコン装置との間で通信不能と判断された場合に、前記リモコン用電源をオフするリモコン用電源オフ手段とを備えている。
【０００７】
また、請求項２に係る発明の給湯器は、請求項１に記載の発明の構成に加え、前記通信判断手段は、所定時間毎に前記通信の可否を判断することを特徴とする。
【発明の効果】
【０００８】
請求項１に係る給湯器には、リモコン装置が電気的に接続可能である。リモコン装置との間で通信することによって、リモコン装置による給湯器の遠隔操作が可能である。給湯器の主電源がオンされた場合、リモコン用電源オン手段が、リモコン用電源をオンする。次いで、通信判断手段が、リモコン装置との間で通信が可能か否かを判断する。通信判断手段によって、リモコン装置との間で通信不能と判断された場合、リモコン用電源オフ手段がリモコン用電源をオフする。これにより、リモコン装置が接続されていない場合は、リモコン用電源を自動的にオフできるので、無駄な電力消費を無くすことができる。ディップスイッチ等を設けないので、コストや煩雑さが増すこともない。
【０００９】
また、請求項２に係る給湯器では、請求項１に記載の発明の効果に加え、通信判断手段は、所定時間毎に通信の可否を判断するので、リモコン装置を給湯器に途中で接続した場合は、リモコン用電源をオンすることができる。従って、リモコン装置による遠隔操作が可能となる。
【図面の簡単な説明】
【００１０】
【図１】給湯器１の内部構造を示す図である。
【図２】給湯器１の電気的構成を示すブロック図である。
【図３】ＣＰＵによるリモコン電源回路制御処理のフローチャートである。
【発明を実施するための形態】
【００１１】
以下、本発明の一実施形態である給湯器１について、図面を参照して説明する。図１に示す給湯器１は、リモコン装置９０の接続が可能なものである。リモコン装置９０を接続することで、例えば、給湯器１の出湯温度をリモコン装置９０で設定できる。
【００１２】
まず、給湯器１の構造について、図１を参照して概略的に説明する。給湯器１の器具内に形成された燃焼室（図示省略）にはバーナ８が設けられている。バーナ８にはフレームロッド１５（図２参照）及び熱電対１６（図２参照）が各々設けられている。燃焼室の上方には熱交換器６が設けられている。熱交換器６の吸熱管７には給水管４が接続されている。
【００１３】
また、器具内にはバーナ８の火炎に向けて二次空気を供給するファン１０が設けられ、ファンモータ１２（図１では省略、図２参照）と接続している。さらに、器具内には給湯器１の運転を制御するコントローラ２０が設けられている。
【００１４】
給水管４の上流側には入水の流れおよびその流量を検知する流量センサ３１と、入水の温度を検知するサーミスタ３２と、水の流れを規制する水ガバナ３３とが各々設けられている。熱交換器６の出口には出湯管４０が接続されている。出湯管４０の出湯口には給湯栓４２が設けられている。出湯管４０には出湯温度を検知するサーミスタ４１が設けられている。
【００１５】
バーナ８にはガス管５０が接続されている。ガス管５０には、ガスが流れる上流側から下流側に向かって順に、元電磁弁５１と、メイン電磁弁５２と、比例弁５３とが各々設けられている。さらに、給湯器１には、利用者が給湯器１の運転開始や終了を指示したり、目標出湯温度を設定するためのリモコン装置９０が接続されている。リモコン装置９０は、有線によって相互に接続されている。利用者はリモコン装置９０によって給湯器１を遠隔操作できる。
【００１６】
なお、後述するが、ファンモータ１２、フレームロッド１５、熱電対１６、元電磁弁５１、メイン電磁弁５２、比例弁５３、流量センサ３１、サーミスタ３２，４１、リモコン装置９０は、コントローラ２０に接続されている（図３参照）。
【００１７】
次に、給湯器１の電気的構成について、図３を参照して説明する。給湯器１のコントローラ２０はマイコン２１を備えている。マイコン２１は、図示しないＣＰＵ、ＲＯＭ、ＲＡＭ及びＥＥＰＲＯＭ等を備えている。マイコン２１には、比例弁回路６１、炎検出回路６２、ファン駆動回路６３、流量センサ回路６４、熱電対回路６５、サーミスタ回路６６、リモコン電源回路６７、リモコン通信回路６８、リレー回路７０等が各々接続されている。
【００１８】
比例弁回路６１には比例弁５３が接続されている。炎検出回路６２にはフレームロッド１５が接続されている。ファン駆動回路６３にはファンモータ１２が接続されている。流量センサ回路６４には流量センサ３１が接続されている。熱電対回路６５には熱電対１６が接続されている。サーミスタ回路６６にはサーミスタ３２，４１が各々接続されている。リレー回路７０には、サーミスタ３２，４１と、元電磁弁５１及びメイン電磁弁５２と、スイッチ電源回路７１と、安全回路７２とが各々接続されている。スイッチ電源回路７１は、各回路に電源を供給するものである。安全回路７２には、炎検出回路６２と、流量センサ回路６４とが各々接続されている。
【００１９】
リモコン通信回路６８にはリモコン装置９０が接続されている。さらに、リモコン通信回路６８にはリモコン電源回路６７が接続されている。リモコン電源回路６７は、リモコン通信回路６８からの信号を乗せた電力を、リモコン装置９０に供給するものである。従って、リモコン装置９０に電力が供給されているときに、コントローラ２０とリモコン装置９０との通信が可能となる。
【００２０】
なお、マイコン２１のＲＯＭには、リモコン装置９０の接続の有無によって、リモコン電源回路６７をオンオフする「リモコン電源回路制御プログラム」や、後述する各動作モード（リモコン動作モード、基本動作モード）で湯温調整を行う湯温調整プログラム等が記憶されている。ＲＡＭには、リモコン装置９０に呼出信号を送信しても、返信信号を受信できなかった回数である返信待ち回数Ｓ等が記憶される。なお、返信待ち回数Ｓについては後述する。
【００２１】
次に、給湯器１の出湯動作について簡単に説明する。図１に示すように、まず、給湯栓４２が開かれ、器具内に通水されると、ファン１０が回転する。さらに、元電磁弁５１とメイン電磁弁５２が開き、比例弁５３が緩点火動作となり、ガス管５０を介してバーナ８にガスが供給される。それと同時にイグナイタによる点火プラグ（図示せず）の連続的なスパークによりバーナ８が点火される。
【００２２】
次いで、緩点火動作が終了すると、バーナ８とファン１０との間の比例制御が開始される。サーミスタ３２により検出した入水温と、リモコン装置９０で設定した設定温度との温度差に入水流量を乗じて必要熱量を演算して、比例弁５３の開度を決定するフィードフォワード制御と、サーミスタ４１により検出した実際の出湯温度と設定温度との偏差により燃焼量を補正するフィードバック制御とを組み合わせてバーナ８の燃焼量が決定される。これにより熱交換器６の出湯口温度が一定に保たれる。
【００２３】
出湯中は、比例弁５３による供給ガス量の変化に応じて、コントローラ２０からファンモータ１２に信号が送られ、ガス量と空気量とが常に一定の関係に保たれるように制御される。こうしてバーナ８の燃焼ガスによって熱交換器６が加熱され、給水管４を介して熱交換器６の吸熱管７へ送られてきた水は所定の温度に加熱されて、湯温調整された湯が出湯管４０を介して給湯栓４２から供給される。なお、熱交換器６を通過した燃焼ガスは、器具の正面から突出する排気筒（図示省略）を通って前方へ排気される。
【００２４】
次に、マイコン２１のＣＰＵによるリモコン電源回路制御処理について、図３のフローチャートを参照して説明する。本処理は、給湯器１の電源プラグ（図示省略）がコンセント（図示省略）に差し込まれると、マイコン２１に電源が供給され、マイコン２１のＲＯＭに記憶された「リモコン電源回路制御プログラム」がマイコン２１のＣＰＵによって読み込まれて実行される。なお、マイコン２１に電源が供給されると、リレー回路７０によるリレー動作によって、サーミスタ３２，４１、元電磁弁５１、メイン電磁弁５２、スイッチ電源回路７１、安全回路７２に対して電流が流れる。
【００２５】
まず、給湯器１の電源プラグ（図示省略）がコンセント（図示省略）に差し込まれると、ＲＡＭに記憶された返信待ち回数Ｓがクリアされ（Ｓ１０）、さらに、リモコン電源回路６７がオンされる（Ｓ１１）。次いで、呼出信号がリモコン装置９０に向けて送信される（Ｓ１２）。そして、リモコン装置９０からの返信信号を受信したか否かが判断される（Ｓ１３）。ここで、リモコン装置９０が給湯器１のコントローラ２０に接続されていれば、リモコン装置９０から返信信号が出力される。そのリモコン装置９０からの返信信号が受信された場合（Ｓ１３）、リモコン装置９０で給湯器１を操作できる「リモコン動作モード」に設定され（Ｓ１４）、処理が終了する。本処理で「リモコン動作モード」に設定されると、リモコン装置９０で給湯器１の遠隔操作ができる。
【００２６】
一方、リモコン装置９０からの返信信号を受信しなかった場合（Ｓ１３：ＮＯ）、リモコン装置９０がコントローラ２０に接続されていないことが考えられるが、リモコン装置９０とコントローラ２０との接触不良のおそれもあるので、続いて、リモコン装置９０からの返信信号の返信待ち回数Ｓが所定値に到達したか否かが判断される（Ｓ１５）。本実施例では、返信待ち回数Ｓの所定値は５回である。ＲＡＭに記憶された返信待ち回数Ｓが５回に到達していない場合（Ｓ１５：ＮＯ）、返信待ち回数Ｓに１加算されると共に（Ｓ１６）、Ｓ１２に戻り、再度呼出信号がリモコン装置９０に向けて送信される。なお、本実施例では、呼出信号は１秒間に５回送信される。
【００２７】
そして、返信待ち回数が５回に到達した場合（Ｓ１５：ＹＥＳ）、コントローラ２０にはリモコン装置９０が接続されていないので、リモコン電源回路６７がオフされる（Ｓ１７）。これにより、リモコン電源回路６７の無駄な電力消費を無くすことができる。さらに、リモコン装置９０が接続されていないので、リモコン装置９０を使用しない「基本動作モード」に設定される（Ｓ１８）。続いて、リモコン電源回路６７がオフされてからの経過時間が規定時間Ｋ（例えば、１０秒）に到達したか否かが判断される（Ｓ１９）。
【００２８】
経過時間は、マイコン２１に設けられたタイマカウンタ（図示省略）によって計測され、リモコン電源回路６７がオフされたときにスタートされる。経過時間はＲＡＭに記憶される。経過時間が規定時間Ｋを経過するまでは（Ｓ１９：ＮＯ）、Ｓ１９に戻って、処理が繰り返される。その後、規定時間Ｋを経過した場合は（Ｓ１９：ＹＥＳ）、Ｓ１０に戻り、リモコン装置９０の接続が再度確認される（Ｓ１２、Ｓ１３）。リモコン装置９０が新たに接続された場合は（Ｓ１３：ＹＥＳ）、「リモコン動作モード」に設定され（Ｓ１４）、処理が終了する。
【００２９】
なお、以上説明において、図２に示すリモコン電源回路６７が本発明の「リモコン用電源」に相当する。図３に示すＳ１１の処理を実行するマイコン２１のＣＰＵが本発明の「リモコン用電源オン手段」に相当し、Ｓ１２，Ｓ１３の処理を実行するマイコン２１のＣＰＵが本発明の「通信判断手段」に相当し、Ｓ１７の処理を実行するマイコン２１のＣＰＵが本発明の「リモコン用電源オフ手段」に相当する。
【００３０】
以上説明したように、本実施形態である給湯器１では、リモコン装置９０の接続の有無をリモコン装置９０への呼出信号で確認する。リモコン装置９０から返信信号を受信した場合は、「リモコン動作モード」が設定される。リモコン装置９０からの返信信号が無かった場合は、リモコン装置９０が接続されていないので、リモコン電源回路６７がオフされる。これにより、リモコン装置９０が接続されていない場合は、リモコン電源回路６７の無駄な電力消費を無くすことができる。また、リモコン電源回路６７が自動的にオフされるので、リモコン電源回路６７をオフするためのディップスイッチ等を設ける必要がなく、コストや煩雑さが増すこともない。
【００３１】
なお、本発明に係る給湯器は、上記実施形態に限定されることなく、種々の変更が可能であることは言うまでもない。例えば、上記実施形態では、リモコン装置９０から返信信号があった場合は、リモコン動作モードに設定して処理を終了したが、リモコン動作モードに設定してから規定時間に到達した場合は、リモコン装置９０の接続の有無を再度確認し、リモコン装置９０が取り外された場合は基本動作モードに設定してもよい。
【００３２】
また、上記実施形態では、返信待ち回数Ｓの所定値は５回であったが、変更可能である。さらに、リモコン電源回路６７がオフされてからの規定時間Ｋについても変更可能である。
【符号の説明】
【００３３】
１  給湯器
２０  コントローラ
２１  マイコン
６７  リモコン電源回路
６８  リモコン通信回路
９０  リモコン装置
【図１】
2011149632.tif 000003
【図２】
2011149632.tif 000004
【図３】
2011149632.tif 000005